(57)【特許請求の範囲】
【請求項１】
通電すると発熱するヒータ線(3)を有し、このヒータ線(3)を加熱して、接触される体毛を焼き切るように構成されて成る体毛処理具において、
ヒータ線(3)の両端が、ヒータ線(3)に通電するヒータ端子(10)に接続されており、このヒータ端子(10)は、一方または両方が弾性変形する板バネで、板バネのヒータ端子(10)が、ヒータ線(3)を引っ張って、たるみを防止するように構成されると共に、板バネのヒータ端子(10)はヒータケース(2)に装着されており、さらに、ヒータケース(2)は脱着自在に本体ケース(1)に装着されており、板バネのヒータ端子(10)がヒータケース(2)を本体ケース(1)に装着する節度バネに併用されてなることを特徴とする体毛処理具。
【請求項２】
ヒータケース(2)は、装着されるヒータ端子(10)をヒータ線(3)の引っ張り方向に付勢する傾斜面(2E)を有し、ヒータ端子(10)がヒータケース(2)に装着されて、ヒータ線(3)がたるまないように装着されてなる請求項１に記載される体毛処理具。
【発明の詳細な説明】
【０００１】
【発明の属する技術分野】
本発明は、体表面のむだ毛をヒータで焼き切る体毛処理具に関する。
【０００２】
【従来の技術】
ヒータ線で体表面のむだ毛を焼き切る体毛処理具は開発されている。体毛処理具は、ニクロム線であるヒータ線に通電して加熱する。加熱されたヒータ線は、接触する毛を焼き切る。ヒータ線は、直接に皮膚に接触すると危ないので、その両側に櫛が配設される。この構造の体毛処理具は、櫛を通過して内部に案内される毛を、ヒータ線で焼き切る。
【０００３】
この構造の体毛処理具は、ヒータ線を、櫛の間で直線状に張設しておくことが大切である。ヒータ線にたるみができて曲がると、両側の櫛に接触するからである。ヒータ線は、毛を焼き切ることができる温度まで加熱されるので、熱膨張でたるみやすい。とくに、加熱と冷却を繰り返して、伸縮されるので、使用するにしたがってたるみやすい。ヒータ線にたるみができて変形し、両側の櫛に接触すると、ヒータ線の熱で櫛が変形し、あるいはヒータ線に溶着される危険性がある。櫛はほとんど例外なくプラスチックで製作されるからである。この弊害は、ヒータ線と櫛の間隔を広くして少なくできる。ただ、ヒータ線と櫛の間隔を広くすると、焼き切られる毛が長く残って、短く焼き切ることができなくなる。ヒータ線と櫛の間隔よりも短く毛を焼き切りできないからである。さらに、櫛を耐熱性の金属等として、ヒータ線による熱変形等を防止できる。しかしながら、金属製の櫛は、ヒータ線が接触すると、これをショートして、有効に加熱できなくなる。さらに、櫛を金属製としても、その間のヒータ線がたるみで曲がってしまうと、櫛とヒータ線との間隔が部分的に異なり、毛を一定の長さに揃えて焼き切りできなくなる。
【０００４】
このような弊害を防止するために、ヒータ線を直線状に保持する技術が、下記の公報に記載される。
▲１▼  実用新案登録第３００６１２５号公報
▲２▼  特開平８−２８９８１４号公報
【０００５】
▲１▼の公報には、ヒータ線が曲がらないように、その表面を熱による熱膨張でたるみの生じない絶縁外殻で被覆してなる体毛処理具が記載される。
▲２▼の公報には、図１に示すように、ヒータ線３の一端をレバー１２の先端に連結し、レバー１２を引張バネ１３で牽引して、ヒータ線３のたるみをなくする体毛処理具が記載される。
【０００６】
【発明が解決しようとする課題】
▲１▼の公報に記載される体毛処理具は、ヒータ線のコストが高くなるとともに、太くなる欠点がある。さらに、ヒータ線の表面を太い絶縁外殻で被覆するので、毛を速やかに焼き切るために、ヒータ線の消費電力を大きくする必要がある。ヒータが、表面積の大きい絶縁外殻を加熱するからである。表面積の大きい絶縁外殻は、放熱面積が大きくて放熱されやすく、また、ヒータが絶縁外殻を介して毛を加熱するので、毛を焼き切るために使用される熱効率が低下する。
【０００７】
▲２▼の公報に記載される体毛処理具は、ヒータ線をレバーで牽引するので、この部分の構造が複雑になる。さらに、レバーを回動させてヒータ線を牽引する構造は、長時間にわたってレバーが正常に動作させるのが難しい。レバーが正常に回動しなくなると、ヒータ線のたるみを防止できなくなる。
【０００８】
本発明は、このような欠点を解決することを目的に開発されたものである。本発明の重要な目的は、極めて簡単な構造で、熱効率を低下させることなく、ヒータ線のたるみを有効に防止できる体毛処理具を提供することにある。
【０００９】
【課題を解決するための手段】
本発明の請求項１の体毛処理具は、前述の目的を達成するために下記の構成を備える。体毛処理具は、通電すると発熱するヒータ線３を有し、このヒータ線３を加熱して、接触される体毛を焼き切るように構成されている。さらに、本発明の体毛処理具は、ヒータ線３の両端を、ヒータ線３に通電するヒータ端子１０に接続している。ヒータ端子１０は、一方または両方が弾性変形する板バネとし、板バネのヒータ端子１０が、ヒータ線３を引っ張って、たるみを防止している。また、板バネのヒータ端子１０はヒータケース２に装着されており、さらに、ヒータケース２は脱着自在に本体ケース１に装着されており、板バネのヒータ端子１０がヒータケース２を本体ケース１に装着する節度バネに併用している。
【００１０】
本発明の請求項２の体毛処理具は、ヒータケース２は、ヒータ線３を連結しているヒータ端子１０を装着するときに、ヒータ線３を直線状に配設できるように、装着されるヒータ端子１０をヒータ線３の引っ張り方向に付勢する傾斜面２Eを有する。ヒータ端子１０が、ヒータケース２の傾斜面２Eに装着されると、ヒータ線３は、たるまないように直線状に装着される。
【００１２】
【発明の実施の形態】
以下、本発明の実施例を図面に基づいて説明する。ただし、以下に示す実施例は、本発明の技術思想を具体化するための体毛処理具を例示するものであって、本発明は体毛処理具を下記のものに特定しない。
【００１３】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１４】
図２ないし図５に示す体毛処理具は、本体ケース１の先端にヒータケース２を装着している。本体ケース１は、ヒータ線３を加熱する電池４と、ヒータ線３の加熱時間を制限するタイマー（図示せず）を内蔵している。さらに、本体ケース１は、ヒータ線３の通電を制御するスイッチ５を備え、このスイッチ５のツマミを外部に表出させている。
【００１５】
本体ケース１はプラスチック製で、先端に突出して櫛６を設けている。櫛６は、ヒータ線３の両側に位置して配設されている。櫛６の間に、ヒータケース２を脱着自在に装着している。本体ケース１は、図４のケースを開いた状態を示す図５の正面図に示すように、上半分の部分にプリント基板７を内蔵している。
【００１６】
プリント基板７は、ヒータ線３の通電時間を制限するタイマーと、ヒータ線３に通電するためのスイッチ用の接続を装着している。さらに、プリント基板７は、装着されるヒータケース２に接続する接続端子８を固定している。接続端子８は、弾性変形する金属板で、プリント基板７に半田付けして固定され、プリント基板７に固定されるプラスチック製の固定具９の両側に配設される。接続端子８は、先端部を外側に突出する山形に折曲する形状として、ヒータケース２のヒータ端子１０に弾性的に押圧される形状としている。
【００１７】
ヒータケース２は、図６と図７に示すように、プラスチックの成形品で、ヒータ端子１０を介してヒータ線３を装着している。ヒータ線３は、細いニクロム線で、その両端をヒータ端子１０に巻き付けて連結している。ヒータ端子１０は、先端にヒータ線３を連結し、それ自体はヒータケース２の定位置に装着されている。ヒータ端子１０は、ヒータ線３に通電する端子と、ヒータ線３のたるみを防止する引っ張り部材の両方に兼用される。したがって、ヒータ端子１０は、弾性変形できる板バネやバネ線等のバネ材で製作される。図に示すヒータ端子１０は、板バネであるが、バネ線を使用することもできる。
【００１８】
ヒータ端子１０は、ヒータケース２に一体成形された角柱２Ａの表面に沿う形状に折曲された下端の後端ループ部１０Ａと、この後端ループ部１０Ａに連結される中間延長部１０Ｂと、この中間延長部１０Ｂの先端に連結されてヒータ線３を連結するヒータ連結部１０Ｃとからなっている。ヒータ端子１０は、後端ループ部１０Ａを、ヒータケース２の角柱２Ａの外側に嵌入し、中間延長部１０Ｂを、ヒータケース２に一体成形された支持柱２Ｂの間に挿入して、ヒータケース２の定位置に装着される。
【００１９】
さらに、ヒータケース２は、ヒータ端子１０の中間延長部１０Ｂとヒータ連結部１０Ｃのコーナー部を、隔壁２Ｃの外側に嵌入して、定位置に装着している。隔壁２Ｃはプラスチック製のヒータケース２に一体成形されると共に、その両端を上方に突出させて、突出部２Ｄの外側にヒータ連結部１０Ｃを配設している。突出部２Ｄの外側面は、ヒータ端子１０を両側に押し広げて、ヒータ線３を引っ張り状態でヒータケース２に装着する。
【００２０】
隔壁２Ｃの両側に設けられた突出部２Ｄの外側面は、図８の断面図に示すように、傾斜面２Ｅとなっている。それは、ヒータ線３を連結しているヒータ端子１０を、図の矢印で示すように、ヒータケース２に装着するときに、ヒータ線３を引っ張り状態とするためである。傾斜面２Ｅは、ここに装着されるヒータ端子１０を、ヒータ線３の引っ張り方向に付勢するように、いいかえると、ふたつのヒータ連結部１０Ｃの先端間隔を広くする傾斜面２Ｅとなっている。傾斜面２Ｅに沿って、ヒータ端子１０のヒータ連結部１０Ｃが挿入されると、ヒータ線３が引っ張られて、ヒータケース２に装着される。傾斜面２Ｅに装着されるヒータ端子１０のヒータ連結部１０Ｃは、一部が傾斜面２Ｅから離れて隙間ができる。この隙間は、図８の断面図に示すように、片方のヒータケース２の内面に、くさび凸起２Ｆを一体成形して閉塞できる。くさび凸起２Ｆは、傾斜面２Ｅとヒータ連結部１０Ｃとの隙間に圧入される形状に成形される。
【００２１】
ヒータケース２は、図６に示すように、プラスチックで二つに分割した形状に成形される。二つのヒータケース２は、一方にヒータ端子１０を装着した後に連結して組み立てられる。ヒータケース２を連結するために、図に示すヒータケース２は、ヒータ端子１０を装着するものに連結窓２Ｇを設け、この連結窓２Ｇに引っかけられるフック２Ｈを他方に設けている。
【００２２】
図に示すヒータケース２は下記のようにして組み立てられる。
▲１▼  ヒータ端子１０をヒータケース２に装着しない状態で、ヒータ連結部１０Ｃにヒータ線３の両端を巻き付けて連結する。ヒータ線３は、あらかじめ、ヒータ端子１０をヒータケース２に装着すると、たるまない長さでヒータ端子１０に連結される。
【００２３】
▲２▼  ヒータ線３を連結したヒータ端子１０を、一方のヒータケース２に装着する。ヒータ端子１０は、後端ループ部１０Ａをヒータケース２に一体成形された角柱２Ａの外側に、中間延長部１０Ｂを支持柱２Ｂの間に、ヒータ連結部１０Ｃを隔壁２Ｃ両側の傾斜面２Ｅの外側に入れて、ヒータケース２の定位置に装着される。この状態で、ヒータ端子１０は、ヒータ線３を直線状に引っ張る状態で、ヒータケース２の定位置に装着される。
【００２４】
▲３▼  ヒータ端子１０を装着しているヒータケース２に、他のヒータケース２を連結して、ヒータケース２の開口部閉塞する。
【００２５】
以上のようにして組み立てられたヒータケース２を、本体ケース１に装着すると、ヒータケース２のヒータ端子１０は、本体ケース１に内蔵されるプリント基板７に固定すれる接続端子８に電気接続される。ヒータケース２を本体ケース１に装着した状態で、節度出しをするために、ヒータケース２は、下端部の両側に弾性凸起２Ｉを突出させている。この弾性凸起２Ｉは、本体ケース１の引掛凹部１Ａに入れられて、ヒータケース２は定位置に節度のある状態で挿入される。
【００２６】
節度のある状態で本体ケース１に装着されるヒータケース２は、図９に示すように、ヒータ端子１０を弾性凸起に併用することもできる。この図のヒータ端子１０は、板バネの中間をループ状に巻いて、ヒータケース２に支持柱２Ｂに連結し、さらに、下部を山形に折曲して、ヒータケース２から弾性的に突出する突出部１１としている。突出部１１は、ヒータケース２を本体ケース１に装着したときに、本体ケース１の引掛凹部１Ａに案内されて、ヒータケース２を節度のある状態で本体ケース１に装着する。
【００２７】
【発明の効果】
本発明の体毛処理具は、極めて簡単な構造で、熱効率を低下させることなく、ヒータ線のたるみを有効に防止できる特長がある。それは、本発明の体毛処理具が、ヒータに通電するためのヒータ端子を弾性変形するバネ材とし、このバネ材の弾性でヒータ線を引っ張って、たるみを防止しているからである。ヒータ線が連結されるヒータ端子を弾性変形させてヒータ線を引っ張る構造は、全体の機構を簡単にできるのみならず、ヒータ線が直接に連結されるヒータ端子自体が弾性変形して、熱膨張で伸縮するヒータ線のたるみを防止するので、もっとも確実にヒータ線のたるみを防止して、直線状に保持できる特長がある。それは、回動するレバー等でヒータ線を引っ張る従来の機構に比較すると、可動部分が極めて少なく、しかも、弾性変形を阻害する抵抗等を極めて少なくでき、しかも、経時的にこれ等の抵抗が大きくなるのを少なくできるからである。
【図面の簡単な説明】
【図１】従来の体毛処理具がヒータ線を引っ張る機構を示す正面図
【図２】本発明の実施例の体毛処理具の正面図
【図３】図２に示す体毛処理具の側面図
【図４】図２に示す体毛処理具の平面図
【図５】図２に示す体毛処理具のケースを開いた状態を示す正面図
【図６】図２に示す体毛処理具のヒータケースを開いた状態を示す分解斜視図
【図７】図６に示すヒータケースがヒータ端子を連結する状態を示す平面図
【図８】図７に示すヒータケースのＡ−Ａ線断面図
【図９】本発明の他の実施例のヒータケースを示す正面図
【符号の説明】
１…本体ケース          １Ａ…引掛凹部
２…ヒータケース        ２Ａ…角柱              ２Ｂ…支持柱
２Ｃ…隔壁                ２Ｄ…突出部            ２Ｅ…傾斜面
２Ｆ…くさび凸起          ２Ｇ…連結窓            ２Ｈ…フック
２Ｉ…弾性凸起
３…ヒータ線
４…電池
５…スイッチ
６…櫛
７…プリント基板
８…接続端子
９…固定具
１０…ヒータ端子        １０Ａ…後端ループ部    １０Ｂ…中間延長部
１０Ｃ…ヒータ連結部
１１…突出部
１２…レバー
１３…引張バネ
【図１】
0003691198.tif 000002
【図２】
0003691198.tif 000003
【図３】
0003691198.tif 000004
【図４】
0003691198.tif 000005
【図５】
0003691198.tif 000006
【図６】
0003691198.tif 000007
【図７】
0003691198.tif 000008
【図８】
0003691198.tif 000009
【図９】
0003691198.tif 000010